(57)【要約】【課題】複数のリレー要素を含む電気設備の試験において、配線の接続構成を簡単に切り換えられる電気設備の試験補助装置を得る。【解決手段】電気設備２の試験の際に、電流試験器３，４、電圧試験器７，８及びその他の機器との試験配線の接続を簡単に切り換えることのできる装置であって、入力された電流の中から出力する電流を選択する電流選択手段ＢＬ１と、電流試験器４からの電流Ｉｂを単相交流電流入力手段２５に流れる選択をすると、同時に電圧試験器７の電圧Ｖａを単相電圧入力手段２６に印加する連動選択手段と、相電流又は線間電流のいずれで出力するかを選択する出力形態選択手段ＢＬ３，ＢＬ６と、入力する相を選択する相選択手段ＢＬ４と、電圧を印加する入力部を選択する電圧入力選択手段ＢＬ５を備えた電力設備の試験補助装置。【選択図】図１
2006329702.tif 000002
【特許請求の範囲】
【請求項１】
電力系統の交流電流を模擬する電流模擬手段及び前記電力系統の交流電圧を模擬する電圧模擬手段を用いて試験対象である電気設備を試験する際に用いる装置であって、
前記電気設備は、
三相交流の電流を入力する三相交流電流入力手段と、
単相交流の電流を入力する単相交流電流入力手段と、
単相交流の電圧を入力する単相交流電圧入力手段と、
前記三相交流電流入力手段の相電流に応じて動作する第１のリレー要素と、
前記三相交流電流入力手段の線間電流に応じて動作する第２のリレー要素と、
前記単相交流電流入力手段の電流及び前記単相交流電圧入力手段の電圧に応じて動作する第３のリレー要素とを含み、
前記電流模擬手段から入力した電流を外部の機器に出力して該外部の機器から得た電流を出力する第1の選択肢と、前記電流模擬手段から入力した電流を出力する第２の選択肢とのいずれか１つを選択する電流選択手段と、
前記電流選択手段から入力した電流を、前記三相交流電流入力手段に流れるように出力する第１の選択肢と、前記単相交流電流入力手段に流れるように出力する第２の選択肢とのいずれか１つを選択し、前記第２の選択肢を選択した場合、前記電圧模擬手段から入力した電圧を前記単相電圧入力手段に印加するように出力する連動選択手段と、
前記電流選択手段から入力した電流を、相電流又は線間電流のいずれか１つの出力形態を選択する出力形態選択手段と、
前記出力形態選択手段から入力した電流を、前記出力形態選択手段において、相電流を選択した場合、前記三相交流電流入力手段の三相のうち一相を任意に選択して相電流を出力し、線間電流を選択した場合、前記三相交流電流入力手段の三相のうち二相を任意に選択して線間電流を出力する相選択手段と
を有することを特徴とする電気設備の試験補助装置。
【請求項２】
前記電流選択手段は、
コイルを励磁すると、電気的に切断している端子間が接続される電磁式リレーを少なくとも２つを有し、
前記相選択手段は、
コイルを励磁すると、電気的に切断している端子間が接続される電磁式リレーを少なくとも２つを有し、
前記電流選択手段及び前記相選択手段の有するいずれか任意のコイルを励磁させて接点を動作させる操作手段とを有すること
を特徴とする請求項１に記載の電気設備の試験補助装置。
【請求項３】
前記第１のリレー要素は、
相電流の電流値により動作する過電流継電器又は不足電流継電器であることを有し、
前記第２のリレー要素は、
線間電流の電流値により動作する過電流継電器又は不足電流継電器であることを有し、
前記第３のリレー要素は、
地絡方向継電器であることを有すること
を特徴とする請求項１又は請求項２に記載の電気設備の試験補助装置。
【請求項４】
電力系統の交流電流を模擬する電流模擬手段及び前記電力系統の交流電圧を模擬する電圧模擬手段を用いて試験対象である電気設備を試験する際に用いる装置であって、
前記電気設備は、
三相交流の電流を入力する三相交流電流入力手段と、
単相交流の電圧を入力する単相交流電圧入力手段と、
三相交流の電圧を入力する三相交流電圧入力手段と、
前記三相交流電流入力手段の相電流に応じて動作する第１のリレー要素と、
前記三相交流電流入力手段の線間電流に応じて動作する第２のリレー要素と、
前記三相交流電圧入力手段の電圧及び前記三相交流電流入力手段の電流に応じて動作する第４のリレー要素と、
前記三相交流電圧入力手段の電圧及び前記単相交流電圧入力手段の電圧に応じて動作する第５のリレー要素とを含み、
前記電流模擬手段から入力した電流を、相電流又は線間電流のいずれか１つの出力形態を選択する出力形態選択手段と、
前記出力形態選択手段から入力した電流を、前記出力形態選択手段において、相電流を選択した場合、前記三相交流電流入力手段の三相のうち一相を任意に選択して相電流を出力し、線間電流を選択した場合、前記三相交流電流入力手段の三相のうち二相を任意に選択して線間電流を出力する相選択手段と、
前記電圧模擬手段から入力した三相交流電圧を、前記三相交流電圧入力手段に印加するように出力する選択肢と、前記三相交流電圧入力手段及び前記単相交流電圧入力手段に印加するように出力する選択肢とのいずれか１つを選択する電圧入力選択手段と
を有することを特徴とする電気設備の試験補助装置。
【請求項５】
前記電圧模擬手段は、
単相交流電圧を出力し、
前記電圧入力選択手段は、
２つの前記電圧模擬手段から入力した単相交流電圧を三相交流電圧に形成し、該三相交流電圧を入力することを特徴とする請求項４に記載の電気設備の試験補助装置。
【請求項６】
前記相選択手段は、
コイルを励磁すると、電気的に切断している端子間が接続される電磁式リレーを少なくとも２つを有し、
前記相選択手段の有するいずれか任意のコイルを励磁させて接点を動作させる操作手段とを有すること
を特徴とする請求項４又は請求項５に記載の電気設備の試験補助装置。
【請求項７】
前記第１のリレー要素は、
相電流の電流値により動作する過電流継電器又は不足電流継電器であることを有し、
前記第２のリレー要素は、
線間電流の電流値により動作する過電流継電器又は不足電流継電器であることを有し、
前記第４のリレー要素は、
交流電力方向継電器であることを有し、
前記第５のリレー要素は、
位相比較継電器であることを有することを特徴とする請求項４から請求項６のいずれか１項に記載の電気設備の試験補助装置。
【請求項８】
電力系統の交流電流を模擬する２つの電流模擬手段及び前記電力系統の単相交流の電圧を模擬する２つの電圧模擬手段を用いて試験対象である電気設備を試験する際に用いる装置であって、
前記電気設備は、
三相交流の電流を入力する第１の三相交流電流入力手段と、
三相交流の電流を入力する第２の三相交流電流入力手段と、
単相交流の電流を入力する単相交流電流入力手段と、
三相交流の電圧を入力する三相交流電圧入力手段と、
単相交流の電圧を入力する第１の単相交流電圧入力手段と、
単相交流の電圧を入力する第２の単相交流電圧入力手段と、
前記第１の三相交流電流入力手段の相電流に応じて動作する第１のリレー要素と、
前記第１の三相交流電流入力手段の線間電流に応じて動作する第２のリレー要素と、
前記単相交流電流入力手段の電流及び前記第１の単相交流電圧入力手段の電圧に応じて動作する第３のリレー要素と、
前記三相交流電圧入力手段の電圧及び前記第１の三相交流電流入力手段の電流に応じて動作する第４のリレー要素と、
前記三相交流電圧入力手段の電圧及び前記単相交流電圧入力手段の電圧に応じて動作する第５のリレー要素と、
前記第２の三相交流電流入力手段の相電流に応じて動作する第６のリレー要素と、
前記第２の三相交流電流入力手段の線間電流に応じて動作する第７のリレー要素と、
前記第１の三相交流電流入力手段の相電流及び前記第２の三相交流電流入力手段の相電流に応じて動作する第８のリレー要素と、
２つの前記電流模擬手段の電流が入力された前記第２の三相交流電流入力手段の相電流に応じて動作する第９のリレー要素とを含み、
前記電流模擬手段から入力した電流を外部の機器に出力して該外部の機器から得た電流を出力する第1の選択肢と、２つの前記電流模擬手段から入力した電流を合成して出力する第２の選択肢と、２つの前記電流模擬手段から入力した電流を別々に出力する第３の選択肢とのいずれかを１つを選択する電流選択手段と、
前記電流選択手段から入力した電流を、相電流又は線間電流のいずれか１つの出力形態を選択する第１の出力形態選択手段と、
前記第１の出力形態選択手段から入力した電流を、前記第１の出力形態選択手段において、相電流を選択した場合、前記第１の三相交流電流入力手段の三相のうち一相を任意に選択して相電流を出力し、線間電流を選択した場合、前記第２の三相交流電流入力手段の三相のうち二相を任意に選択して線間電流を出力する第１の相選択手段と、
前記電流選択手段から入力した電流を、前記第２の三相交流電流入力手段に流れるように出力する第１の選択肢と、前記単相交流電流入力手段に流れるように出力する第２の選択肢とのいずれかを選択し、前記第１の選択肢を選択した場合、２つの前記電圧模擬手段から入力した電圧を三相交流電圧に形成して出力し、前記第２の選択肢を選択した場合、前記電圧模擬手段から入力した電圧を前記単相電圧入力手段に印加するように出力する連動選択手段と、
前記連動選択手段から入力した三相交流電圧を、前記三相交流電圧入力手段に出力する選択肢と、前記三相交流電圧入力手段及び前記単相交流電圧入力手段に出力する選択肢とのいずれか１つを選択する電圧入力選択手段と
前記連動選択手段から入力した電流を、相電流又は線間電流のいずれか１つの出力形態を選択する第２の出力形態選択手段と、
前記第２の出力形態選択手段から入力した電流を、前記第２の出力形態選択手段において、相電流を選択した場合、前記三相交流電流入力手段の三相のうち一相を任意に選択して相電流を出力し、線間電流を選択した場合、前記三相交流電流入力手段の三相のうち二相を任意に選択して線間電流を出力する第２の相選択手段と
を有することを特徴とする電気設備の試験補助装置。
【請求項９】
前記電流選択手段は、
コイルを励磁すると、電気的に切断している端子間が接続される電磁式リレーを少なくとも２つを有し、
前記第1の相選択手段は、
コイルを励磁すると、電気的に切断している端子間が接続される電磁式リレーを少なくとも２つを有し、
前記第２の相選択手段は、
コイルを励磁すると、電気的に切断している端子間が接続される電磁式リレーを少なくとも２つを有し、
前記電流選択手段、前記第1の相選択手段、及び前記第２の相選択手段の有するいずれか任意のコイルを励磁させて接点を動作させる操作手段とを有すること
を特徴とする請求項８に記載の電気設備の試験補助装置。
【請求項１０】
前記第１のリレー要素は、
相電流の電流値により動作する過電流継電器又は交流不足電流継電器であることを有し、
前記第２のリレー要素は、
線間電流の電流値により動作する過電流継電器又は不足電流継電器であることを有し、
前記第３のリレー要素は、
地絡方向継電器であることを有し、
前記第４のリレー要素は、
交流電力方向継電器であることを有し、
前記第５のリレー要素は、
位相比較継電器であることを有し、
前記第６のリレー要素は、
相電流の電流値により動作する過電流継電器又は不足電流継電器であることを有し、
前記第７のリレー要素は、
線間電流の電流値により動作する過電流継電器又は不足電流継電器であることを有し、
前記第８のリレー要素は、
差動電流継電器又は比率差動電流継電器であることを有し、
前記第９のリレー要素は、
交流過電流継電器であることを有すること
を特徴とする請求項８又は請求項９に記載の電気設備の試験補助装置。
【請求項１１】
前記第１の相選択手段と第２の相選択手段との２つの相選択手段は連動し、いずれか片方の前記相選択手段で相を選択すると、別の片方が同一の相を選択すること
を特徴とする請求項８、請求項９及び請求項１０のいずれか1項に記載の電気設備の試験補助装置。
【発明の詳細な説明】
【技術分野】
【０００１】
本発明は、リレー要素を含む試験対象である電気設備の試験を補助する装置に関する。
【背景技術】
【０００２】
一般的に、リレー要素（以下、「要素」という）を有する電気設備例えば保護継電器は複数の要素を有していることが多い。要素は、種類等によって、電流及び電圧を取り込む観測点が異なる。また、種類によっては、１つの要素に複数の観測点を有している場合がある。例えば、三相交流の過電流継電器の場合は、各相の３つに観測点を設けていることが多い。
【０００３】
要素の特性試験をするには、試験器等と保護継電器の間を試験用配線で接続する必要がある。試験用配線を接続する保護継電器側の端子は、観測点により接続する箇所が決められている。そのため、ある要素の特性試験を行うには、その要素に対応した観測点に試験用配線を接続する必要がある。また、要素の種類が異なると、試験用配線の接続構成はもちろん試験に使用する機器まで異なることも多い。
【０００４】
そこで、１つの要素に複数の観測点を有している場合には、１つの観測点の試験を終える度に試験用配線を繋ぎ換える。また、１つの要素の試験を終えると、次の要素の試験を準備するために、試験用配線の繋ぎ換えとともに、試験器や計測器等の取り換えなどが必要になる。これらの作業は全て手作業で行っていた。
【０００５】
なお、要素の特性試験を行うための発明としては、セッティングが簡単、かつ確実に行えるように改良した過電流保護継電器が開示されている（例えば、特許文献１を参照）。さらに、保護継電器の動作設定の変更を不要とし、試験時間の短縮を図ることができる保護継電器試験装置も開示されている（例えば、特許文献２を参照）。
【特許文献１】特開２０００−２６１９５１号公報
【特許文献２】特開平８−１５２４５０号公報
【発明の開示】
【発明が解決しようとする課題】
【０００６】
特許文献１，２に開示されている発明は、試験対象である保護継電器側に改良が加えられていたり、ごく限られた要素向けに製作されたりするものであるため、多種多様な電気設備に実装されている複数の要素を試験するために適用することは困難であった。
【０００７】
そこで、本発明の目的は、複数の要素を有する電気設備の試験において、配線の接続構成を簡単に切り換えることのできる電気設備の試験補助装置を提供することにある。
【課題を解決するための手段】
【０００８】
上記目的を達成するための発明は、電力系統の交流電流を模擬する電流模擬手段及び前記電力系統の交流電圧を模擬する電圧模擬手段を用いて試験対象である電気設備を試験する際に用いる装置であって、前記電気設備は、三相交流の電流を入力する三相交流電流入力手段と、単相交流の電流を入力する単相交流電流入力手段と、単相交流の電圧を入力する単相交流電圧入力手段と、前記三相交流電流入力手段の相電流に応じて動作する第１のリレー要素と、前記三相交流電流入力手段の線間電流に応じて動作する第２のリレー要素と、前記単相交流電流入力手段の電流及び前記単相交流電圧入力手段の電圧に応じて動作する第３のリレー要素とを含み、前記電流模擬手段から入力した電流を外部の機器に出力して該外部の機器から得た電流を出力する第1の選択肢と、前記電流模擬手段から入力した電流を出力する第２の選択肢とのいずれか１つを選択する電流選択手段と、前記電流選択手段から入力した電流を、前記三相交流電流入力手段に流れるように出力する第１の選択肢と、前記単相交流電流入力手段に流れるように出力する第２の選択肢とのいずれか１つを選択し、前記第２の選択肢を選択した場合、前記電圧模擬手段から入力した電圧を前記単相電圧入力手段に印加するように出力する連動選択手段と、前記電流選択手段から入力した電流を、相電流又は線間電流のいずれか１つの出力形態を選択する出力形態選択手段と、前記出力形態選択手段から入力した電流を、前記出力形態選択手段において、相電流を選択した場合、前記三相交流電流入力手段の三相のうち一相を任意に選択して相電流を出力し、線間電流を選択した場合、前記三相交流電流入力手段の三相のうち二相を任意に選択して線間電流を出力する相選択手段とを備えた電気設備の試験補助装置である。
【発明の効果】
【０００９】
本発明によれば、リレー要素を含む多種多様な電気設備において、試験をするための手作業を軽減することができ、試験時間を短縮できる装置を提供することができる。
【発明を実施するための最良の形態】
【００１０】
以下図面を参照して、本発明の各実施形態について説明する。
【００１１】
（第１の実施形態）
始めに、本発明に係る電気設備の試験補助装置（以下、「試験補助装置」という）の試験対象である保護継電器２について説明する。
【００１２】
（保護継電器の保護する電力系統の構成）
図１３は、保護継電器２が保護する電力系統の構成を示す構成図である。境界線ＢＤを境に、左側は単線結線図を表し、右側は単線に対応する複線を表している。
【００１３】
電力系統は、ネットワークトランスＴＲが受けた電力を、遮断器ＣＢを介して、下位系統ＮＢへ電力を供給する構成となっている。下位系統ＮＢは、例えばネットワーク母線などである。この電力系統は、ネットワーク方式の電力系統であり、Ｒ相、Ｓ相及びＴ相で三相交流を形成し、これら三相の中性点Ｎ相を加えた三相４線式交流電力により授受を行っている。
【００１４】
変流器ＣＴ１は、ネットワークトランスＴＲと遮断器ＣＢとの間に介在し、ネットワークトランスＴＲ側に設置されている。変流器ＣＴ１は、この設置した箇所に流れる電流を比（ＣＴ比）に応じて小さくした電流Ｉ１にして保護継電器２に出力する。電流Ｉ１は、Ｒ相Ｉ１Ｒ、Ｓ相Ｉ１Ｓ、Ｔ相Ｉ１Ｔ及びＮ相Ｉ１Ｎからなる三相４線式の交流電流である。
【００１５】
計器用変圧器ＶＴ１は、ネットワークトランスＴＲと遮断器ＣＢとの間に介在し、遮断器ＣＢ側に設置されている。計器用変圧器ＶＴ１は、この設置した箇所に印加された電圧を比（ＰＴ比）に応じて降圧した電圧Ｖ１にして保護継電器２に出力する。電圧Ｖ１は、Ｒ相Ｖ１Ｒ、Ｓ相Ｖ１Ｓ及びＶ１Ｔからなる三相交流電圧である。
【００１６】
変流器ＣＴ２は、ネットワークトランスＴＲと遮断器ＣＢとの間に介在し、遮断器ＣＢ側に設置されている。変流器ＣＴ２は、この設置した箇所を流れる電流を比（ＣＴ比）に応じて小さくした電流Ｉ２にして保護継電器２に出力する。電流Ｉ２は、Ｒ相Ｉ２Ｒ、Ｓ相Ｉ２Ｓ、Ｔ相Ｉ２Ｔ及びＮ相Ｉ２Ｎからなる三相４線式の交流電流である。
【００１７】
計器用変圧器ＶＴ２は、遮断器ＣＢのネットワーク母線ＮＢ側に設置されている。計器用変圧器ＶＴ２は、この設置した箇所に印加された電圧のうちＲ相とＳ相の線間に印加された電圧を比（ＰＴ比）に応じて降圧し、Ｒ相側の電位のみの電圧ΔＶＲを保護継電器２に出力する。また、図示しないＳ相側の電位が印加された線は、電圧Ｖ１のＳ相Ｖ１Ｓと結線する。
【００１８】
零相変流器ＺＣＴは、遮断器ＣＢのネットワーク母線ＮＢ側に設置されている。零相変流器ＺＣＴは、この設置した箇所を流れる電流を比（ＺＣＴ比）に応じて小さくし、零相電流Ｉ０を構成して、保護継電器２に出力する。零相電流Ｉ０は、Ｉ０ｋ及びＩ０ｌからなる単相交流電流である。
【００１９】
計器用変圧器ＶＴ３は、遮断器ＣＢのネットワーク母線ＮＢ側に設置されている。計器用変圧器ＶＴ３は、この設置した箇所に印加された電圧を比（ＰＴ比）に応じて降圧し、零相電圧Ｖ０を構成して、保護継電器２に出力する。零相電圧Ｖ０は、Ｖ０ｕ及びＶ０ｖからなる単相交流電圧である。
【００２０】
（第１の実施形態に係る保護継電器の構成）
図１４は、本発明の実施形態に関する保護継電器２の構成を説明するためのブロック構成図である。
【００２１】
保護継電器２は、電圧及び電流を入力する入力部２１〜２６と、入力部２１〜２６から入力された電圧及び電流を各要素が演算に用いるための処理をする情報処理部２０と、情報処理部２０により処理された情報に基づいて動作する要素Ｒ１〜Ｒ１０とを備えている。
【００２２】
情報処理部２０は、例えば、取り込まれた電流や電圧等のアナログデータをＣＰＵに演算させるためにディジタルに変換するＡ／Ｄ変換器、又はノイズ、商用周波数、低周波及び高調波等の高周波を除去又は抽出を行うなどの演算処理をするＣＰＵ等により構成されている。これらは、ＣＰＵの演算処理に代えて、各種フィルタが実装されていてもよい。
【００２３】
入力部２１は、電力系統から入力された電流Ｉ１を取り込むための電線等を接続する箇所である。入力部２１は、端子２１１、端子２１２、端子２１３及び端子２１４を有し、電流Ｉ１のＲ相、Ｓ相、Ｔ相及びＮ相を個別に接続するようになっている。
【００２４】
入力部２２は、電力系統から入力された電流Ｉ２を取り込むための電線等を接続する箇所である。入力部２２は、端子２２１、端子２２２、端子２２３及び端子２２４を有し、電流Ｉ２のＲ相、Ｓ相、Ｔ相及びＮ相を個別に接続するようになっている。
【００２５】
入力部２３は、電力系統から入力された電圧Ｖ１を取り込むための電線等を接続する箇所である。入力部２３は、端子２３１、端子２３２、端子２３３及び端子２３４を有し、電圧Ｖ１のＲ相、Ｓ相及びＴ相を個別に接続するようになっている。
【００２６】
入力部２４は、電力系統から入力された電圧Ｖ１を取り込むための電線等を接続する箇所である。入力部２４は、端子２４１、端子２４２、端子２４３及び端子２４４を有し、電圧Ｖ１のＲ相、Ｓ相及びＴ相を個別に接続するようになっている。
【００２７】
入力部２５は、電力系統から入力された零相電流Ｉ０を取り込むための電線等を接続する箇所である。入力部２５は、端子２５１及び端子２５２を有し、零相電流Ｉ０のＩ０ｋ及びＩ０ｌを個別に接続するようになっている。
【００２８】
入力部２６は、電力系統から入力された零相電圧Ｖ０を取り込むための電線等を接続する箇所である。入力部２６は、端子２６１及び端子２６２を有し、零相電圧Ｖ０のＶ０ｕ及びＶ０ｖを個別に接続するようになっている。
【００２９】
（第１の実施形態に係る要素）
各要素は、電力系統における事故や異常などを検出して信号３を出力する。保護継電器２は、これらの信号３に基づいて、遮断器の開放や投入、外部への警報などを行う。
【００３０】
例えば、過電流継電器（以下、「５１」という。）は、機器やケーブルなどを過電流から保護するために使用する。地絡方向継電器（以下、「６７Ｇ」という。）は、地絡（接地）事故が発生した場合に動作する。電力方向継電器（以下、「６７」という。）は、配電線や受配電変圧器に一次側の停電で、電力が電源側に流出（逆流）することを防止検出する継電器である。位相比較継電器（以下、「７８」という。）は、位相状態を検出して、遮断器投入の条件を見る。電圧継電器は、（以下、「８４」という。）、定格電圧又は無電圧を検出して動作する。比率差動継電器（以下、「８７」という。）は、ネットワーク配電線の両端に流れる電流の差を検出する。これらの要素の他に、過電流の電流値により動作時間が変化する反限時特性を持つ過電流継電器（以下、「５１Ｓ」という。）、過負荷時の電流を検出し、警報を出力する継電器（以下、「５７」という。）などがある。
【００３１】
次に、図１５〜２４を参照して、保護継電器２が保有している要素毎に、特性試験をする際に、要素が動作する条件となる電力系統の電気量の入力方法について説明する。
【００３２】
図１５〜２４の中で、実線で描かれている線（例えば、図１５の電流Ｉ１のＮ相Ｉ１Ｎ）は、常に配線する必要があることを示している。点線で描かれている線（例えば、図１５中の電流Ｉ１のＲ相Ｉ１Ｒ、Ｓ相Ｉ１Ｓ、Ｔ相Ｉ１Ｔ）は、この中から１つを選択して配線する必要があることを示している。一点鎖線で描かれている線（例えば、図１６中の電流Ｉ１のＲ相Ｉ１Ｒ、Ｓ相Ｉ１Ｓ、Ｔ相Ｉ１Ｔ）は、この中から２つを選択して配線する必要があることを示している。
【００３３】
図１５は、５１Ｒ１を説明するためのブロック構成図である。
【００３４】
５１Ｒ１は、電流Ｉ１の相電流に応じて動作する。従って、５１Ｒ１の特性試験は、電流Ｉ１のＲ相Ｉ１Ｒ、Ｓ相Ｉ１Ｓ、Ｔ相Ｉ１Ｔの中から１つの相を選択し、この選択した相とＮ相Ｉ１Ｎとの間で電流を流して行う。これを電流Ｉ１の各相で行うことにより計３回の測定を行う。実際には、５１Ｒ１が動作する基準となる整定値を変えることにより、３回に整数倍（整定値を変えた回数）した回数の測定を行うことも多いが、ここでは、説明する便宜上３回の測定とする。以下、全ての要素の特性試験において同じである。
【００３５】
図１６は、５１Ｒ２を説明するためのブロック構成図である。
【００３６】
５１Ｒ２は、電流Ｉ１の線間電流に応じて動作する。従って、５１Ｒ２の特性試験は、電流Ｉ１のＲ相Ｉ１Ｒ、Ｓ相Ｉ１Ｓ、Ｔ相Ｉ１Ｔの中から２つの相を選択し、この２つの相の間で電流を流して行う。これを電流Ｉ１の各線間で行うことにより計３回の測定を行う。
【００３７】
図１７は、５１Ｒ６を説明するためのブロック構成図である。
【００３８】
５１Ｒ６は、電流Ｉ２の相電流に応じて動作する。従って、５１Ｒ６の特性試験は、電流Ｉ２のＲ相Ｉ２Ｒ、Ｓ相Ｉ２Ｓ、Ｔ相Ｉ２Ｔの中から１つの相を選択し、この選択した相とＮ相Ｉ２Ｎとの間で電流を流して行う。これを電流Ｉ２の各相で行うことにより計３回の測定を行う。
【００３９】
図１８は、５１Ｒ７を説明するためのブロック構成図である。
【００４０】
５１Ｒ７は、電流Ｉ２の線間電流に応じて動作する。従って、５１Ｒ７の特性試験は、電流Ｉ２のＲ相Ｉ２Ｒ、Ｓ相Ｉ２Ｓ、Ｔ相Ｉ２Ｔの中から２つの相を選択し、この２つの相の間で電流を流して行う。これを電流Ｉ２の各線間で行うことにより計３回の測定を行う。
【００４１】
図１９は、６７ＧＲ３を説明するためのブロック構成図である。
【００４２】
６７ＧＲ３は、零相電流Ｉ０と零相電圧Ｖ０に応じて動作する。従って、６７ＧＲ３の特性試験は、電圧Ｖ０の極性電位ｕと基準電位ｖとの間に電圧を印加し、電流Ｉ０のｋ相Ｉ０ｋとｌ相Ｉ０ｌとの間に電流を流して行う。
【００４３】
図２０は、６７Ｒ４を説明するためのブロック構成図である。
【００４４】
６７Ｒ４は、電圧Ｖ１の三相の電圧と電流Ｉ２の相電流に応じて動作する。従って、６７Ｒ４の特性試験は、電圧Ｖ１のＲ相Ｖ１Ｒ，Ｓ相Ｖ１Ｓ，Ｔ相Ｖ１Ｔに三相の電圧を印加し、電流Ｉ２のＲ相Ｉ２Ｒ、Ｓ相Ｉ２Ｓ、Ｔ相Ｉ２Ｔの中から１つの相を選択し、Ｎ相Ｉ２Ｎとの間で電流を流して行う。これを電流Ｉ２の各相で行うことにより計３回の測定を行う。
【００４５】
図２１は、７８Ｒ５を説明するためのブロック構成図である。
【００４６】
７８Ｒ５は、電圧Ｖ２のＳ相とＴ相との線間電圧と電位ΔＶＲと電圧Ｖ２のＳ相との間の電圧に応じて動作する。従って、７８Ｒ５の特性試験は、電圧Ｖ２のＳ相Ｖ２ＳとＴ相Ｖ２Ｔ間に単相電圧を印加し、電位ΔＶＲと電圧Ｖ２のＳ相との間に別の単相電圧を印加して行う。
【００４７】
図２２は、８７Ｒ８を説明するためのブロック構成図である。
【００４８】
８７Ｒ８は、電流Ｉ１と電流Ｉ２に流れる同一相電流に応じて動作する。従って、８７Ｒ８の特性試験は、電流Ｉ１のＲ相Ｉ１Ｒ、Ｓ相Ｉ１Ｓ、Ｔ相Ｉ１Ｔの中から１つの相を選択し、この選択した相とＮ相Ｉ１Ｎとの間で電流を流し、同様にして、電流Ｉ１で選択した相と同じ相の電流Ｉ２の相電流を流して行う。これを各相で行うことにより計３回の測定を行う。
【００４９】
図２３は、５１ＳＲ９を説明するためのブロック構成図である。
【００５０】
５１ＳＲ９は、電流Ｉ１の相電流に応じて動作する。従って、５１ＳＲ９の特性試験は、電流Ｉ１のＲ相Ｉ１Ｒ、Ｓ相Ｉ１Ｓ、Ｔ相Ｉ１Ｔの中から１つの相を選択し、この選択した相とＮ相Ｉ１Ｎとの間で電流を流して行う。これを電流Ｉ１の各相で行うことにより計３回の測定を行う。また、この要素は、反限時特性を持つため、この特性を試験するには通常の５１よりも大きい電流が必要となる。
【００５１】
図２４は、８４Ｒ１０を説明するためのブロック構成図である。
【００５２】
８４Ｒ１０は、電圧Ｖ１の三相の電圧に応じて動作する。従って、８４Ｒ１０の特性試験は、電圧Ｖ１のＲ相Ｖ１Ｒ，Ｓ相Ｖ１Ｓ，Ｔ相Ｖ１Ｔに三相の電圧を印加して行う。
【００５３】
以下、本発明の各実施形態について図面を参照しながら説明する。
【００５４】
（第１の実施形態の構成）
図１を参照して、第１の実施形態に係る試験補助装置１の構成について説明する。
【００５５】
試験補助装置１は、電流選択手段、例えばブロック回路ＢＬ１と、第１の出力形態選択手段、例えばブロック回路ＢＬ６と、連動選択手段、例えばブロック回路ＢＬ２と、第２の出力形態選択手段、例えばブロック回路ＢＬ３と、第１の相選択手段及び第２の相選択手段、例えばブロック回路ＢＬ４と、電圧入力選択手段、例えばブロック回路ＢＬ５は次のように構成している。
【００５６】
ブロック回路ＢＬ１は、試験器等から電流が入力され、ブロック回路ＢＬ６と、ブロック回路ＢＬ２に電流を出力するように接続している。ブロック回路ＢＬ１は、接続点Ｓ１１，Ｓ１２とブロック回路ＢＬ６の接続点Ｓ６１，Ｓ６２でそれぞれ接続している。ブロック回路ＢＬ１は、接続点Ｓ１３，Ｓ１４とブロック回路ＢＬ２の接続点Ｓ２１，Ｓ２２でそれぞれ接続している。
【００５７】
ブロック回路ＢＬ６は、ブロックＢＬ１から入力された電流を、ブロック回路ＢＬ４に出力するように接続している。ブロック回路ＢＬ６は、接続点Ｓ６３，Ｓ６４，Ｓ６５とブロック回路ＢＬ４の接続点Ｓ４１，Ｓ４２，Ｓ４３でそれぞれ接続している。
【００５８】
ブロック回路ＢＬ２は、ブロック回路ＢＬ１から入力された電流を、ブロック回路ＢＬ３に出力するように接続している。ブロック回路ＢＬ２は、接続点Ｓ２３，Ｓ２４とブロック回路ＢＬ３の接続点Ｓ３１，Ｓ３２でそれぞれ接続している。また、ブロック回路ＢＬ２は、試験器等から電圧が入力され、一方は、ブロック回路ＢＬ５に出力するように接続しており、もう一方は、保護継電器２の入力部２５，２６に出力することになる。ブロック回路ＢＬ２は、接続点Ｓ２５，Ｓ２６，Ｓ２７とブロック回路ＢＬ５の接続点Ｓ５１，Ｓ５２，Ｓ５３でそれぞれ接続している。
【００５９】
ブロック回路ＢＬ３は、ブロック回路ＢＬ２から入力された電流を、ブロック回路ＢＬ４に出力するように接続している。ブロック回路ＢＬ３は、接続点Ｓ３３，Ｓ３４，Ｓ３５とブロック回路ＢＬ４の接続点Ｓ４４，Ｓ４５，Ｓ４６でそれぞれ接続している。
【００６０】
ブロック回路ＢＬ４は、ブロック回路ＢＬ６及びブロック回路ＢＬ３から入力された電流を、保護継電器２の入力部２１，２２に出力することになる。
【００６１】
ブロック回路ＢＬ５は、ブロック回路ＢＬ２から入力された電圧を、保護継電器２の入力部２３，２４に出力することになる。
【００６２】
（第１の実施形態に係る他の機器との接続構成）
次に、特性試験の準備として、試験補助装置１とその他の機器との接続について説明する。機器や装置等の接続は、電線等の試験用の配線を適宜用意して接続する。
【００６３】
端子は、試験用の電線等が簡単に繋いだり、外したりできるようになっている部位である。端子は、ネジ又はコネクタになっていて、ドライバ又は手を使って取り外しをするようになっている。以下、全ての端子について同様である。
【００６４】
電流試験器３は、単相交流の電流Ｉａを出力するものである。
【００６５】
電流試験器４は、単相交流の電流Ｉｂを出力するものである。
【００６６】
電圧試験器７は、単相交流の電圧Ｖａを出力するものである。
【００６７】
電圧試験器８は、単相交流の電圧Ｖｂを出力するものである。
【００６８】
ブロック回路ＢＬ１は、端子Ｔ１１，Ｔ１２に電流試験器３を、端子Ｔ１３，Ｔ１４に電流試験器４を、端子Ｔ１７，Ｔ１８に零相変流器５をそれぞれ接続する。端子Ｔ１５，Ｔ１６には、零相変流器５の二次電流が出力される電線をミリアンペア計６を介して接続する。
【００６９】
ブロック回路ＢＬ２は、端子Ｔ２１，Ｔ２３に電圧試験器７、端子Ｔ２４，Ｔ２２に電圧試験器８をそれぞれ接続する。
【００７０】
ブロック回路ＢＬ４は、端子Ｔ４１，Ｔ４２，Ｔ４３，Ｔ４４に、保護継電器２の入力部２１の端子２１１，２１２，２１３，２１４をそれぞれ接続し、端子Ｔ４５，Ｔ４６，Ｔ４７，Ｔ４８に、保護継電器２の入力部２２の端子２２１，２２２，２２３，２２４をそれぞれ接続する。
【００７１】
以下、図面を参照して、上述のように接続構成されている状態で各ブロック回路を説明する。
【００７２】
（ブロック回路ＢＬ１）
図２を参照して、ブロック回路ＢＬ１の構成及び操作方法を説明する。
【００７３】
ブロック回路ＢＬ１は、主にスイッチＳＷ１からなる。スイッチＳＷ１は、セレクタＳＬ１を有している。セレクタＳＬ１は、ポジションＰ１、ポジションＰ２及びポジションＰ３を任意にかつ簡単に選択できる。スイッチＳＷ１は、例えば回転式になっており、手動により回すことで各ポジションを選択することができる。
【００７４】
ブロック回路ＢＬ１は、セレクタＳＬ１の選択するポジションにより、電流試験器３及び電流試験器４から出力される電流がどのような形態で、他のブロック回路に流れるかを決定する。
【００７５】
（スイッチＳＷ１）
次に、スイッチＳＷ１において、セレクタＳＬ１の選択による回路について説明する。
【００７６】
ポジションＰ１を選択した場合、端子１０１ａ〜１１０ｄの中で、ａ，ｂ間を接続している端子を見る。
【００７７】
図２においては、端子１０７ａと１０７ｂ、端子１０８ａと１０８ｂ、端子１０９ａと１０９ｂ、端子１１０ａと１１０ｂのみが接続している。
【００７８】
よって、端子１０７ａ、端子１０８ａ、端子１０９ａ、端子１１０ａに入力された電流は、それぞれ端子１０７ｄ、端子１０８ｄ、端子１０９ｄ、端子１１０ｄから出力され、その他の端子間は、電気的に切断された回路となる。
【００７９】
ポジションＰ２を選択した場合、端子１０１ａ〜１１０ｄの中で、ｂ，ｃ間が接続している端子を見る。
【００８０】
図２においては、端子１０１ｂと１０１ｃ、端子１０２ｂと１０２ｃ、端子１０３ｂと１０３ｃ、端子１０４ｂと１０４ｃのみが接続している。
【００８１】
よって、端子１０１ａ，１０２ａ，１０３ａ，１０４ａに入力された電流は、それぞれ端子１０１ｄ，１０２ｄ，１０３ｄ，１０４ｄから出力され、その他の端子間は、電気的に切断された回路となる。
【００８２】
ポジションＰ３を選択した場合、端子１０１ａ〜１１０ｄの中で、ｃ，ｄ間が接続している端子を見る。
【００８３】
図２においては、端子１０１ｃと１０１ｄ、端子１０２ｃと１０２ｄ、端子１０５ｃと１０５ｄ、端子１０６ｃと１０６ｄのみが接続している。
【００８４】
よって、端子１０１ａ，１０２ａ，１０５ａ，１０６ａに入力された電流は、それぞれ端子１０１ｄ，１０２ｄ，１０５ｄ，１０６ｄから出力され、その他の端子間は、電気的に切断された回路となる。
【００８５】
（ポジションＰ１）
次に、セレクタＳＬ１によりポジションＰ１を選択した場合のブロック回路ＢＬ１について説明する。
【００８６】
ブロック回路ＢＬ１は、電流試験器４からの電流Ｉｂを端子Ｔ１３，Ｔ１４に入力し、端子１０７ａ，１０８ａ、端子１０７ｄ，１０８ｄを順次に介して、端子Ｔ１７，Ｔ１８から電流Ｉｂを出力する。端子Ｔ１７，Ｔ１８から出力された電流Ｉｂは、零相変流器５の一次側を流れる。これにより、零相変流器５から二次側の電流Ｉｂ’を出力し、ミリアンペア計６を通して、端子Ｔ１５，Ｔ１６に入力される。電流Ｉｂ’は、端子１０９ａ，１１０ａと、端子１０９ｄ，１１０ｄを介して、接続点Ｓ１３，Ｓ１４から出力し、ブロック回路ＢＬ２の接続点Ｓ２１，Ｓ２２に入力する。
【００８７】
よって、ブロック回路ＢＬ１は、電流試験器４から入力された電流Ｉｂを零相変流器５の一次側に流す。これにより得た二次側の電流Ｉｂ’をミリアンペア計６に通してブロック回路ＢＬ２に出力することになる。
【００８８】
ポジションＰ１の選択は、主に６７ＧＲ３の特性試験を行うための設定である。
【００８９】
（ポジションＰ２）
次に、セレクタＳＬ１によりポジションＰ２を選択した場合のブロック回路ＢＬ１について説明する。
【００９０】
ブロック回路ＢＬ１は、電流試験器３からの電流Ｉａを端子Ｔ１１，Ｔ１２に入力し、端子１０１ａ，１０２ａ、端子１０１ｄ，１０２ｄを順次に介して、接続点Ｓ１１，Ｓ１２からブロック回路ＢＬ６に出力する。また、ブロック回路ＢＬ１は、電流試験器４からの電流Ｉｂを端子Ｔ１３，Ｔ１４に入力し、端子１０３ａ，１０４ａ、端子１０３ｄ，１０４ｄを順次に介して、接続点Ｓ１３，Ｓ１４からブロック回路ＢＬ２に出力する。
【００９１】
よって、ブロック回路ＢＬ１は、電流試験器３から入力された電流Ｉａを接続点Ｓ１１，Ｓ１２から出力し、電流試験器４から入力された電流Ｉｂを接続点Ｓ１３，Ｓ１４から出力する。
【００９２】
ポジションＰ２の選択は、主に８７Ｒ８の特性試験を行うための設定である。
【００９３】
（ポジションＰ３）
次に、セレクタＳＬ１によりポジションＰ３を選択した場合のブロック回路ＢＬ１について説明する。
【００９４】
ブロック回路ＢＬ１は、電流試験器３からの電流Ｉａを端子Ｔ１１，Ｔ１２に入力し、端子１０１ａ，１０２ａ、端子１０１ｄ，１０２ｄを順次に介して、接続点Ｓ１１，Ｓ１２からブロック回路ＢＬ６に出力する。また、ブロック回路ＢＬ１は、電流試験器４からの電流Ｉｂを端子Ｔ１３，Ｔ１４に入力し、端子１０５ａ，１０６ａ、端子１０５ｄ，１０６ｄを順次に介して、接続点Ｓ１１，Ｓ１２からブロック回路ＢＬ６に出力する。
【００９５】
よって、電流Ｉａと電流Ｉｂとを合成した電流をＩａ＋ｂとすると、ブロック回路ＢＬ１は、電流試験器３から入力された電流Ｉａ及び電流試験器４から入力された電流Ｉｂにより、電流Ｉａ＋ｂを接続点Ｓ１１，Ｓ１２からブロック回路ＢＬ６に出力する。
【００９６】
ポジションＰ３の選択は、主に５１ＳＲ９の特性試験を行うための設定である。
【００９７】
（ブロック回路ＢＬ６）
図１を参照して、ブロック回路ＢＬ６の構成及び操作方法を説明する。
【００９８】
ブロック回路ＢＬ６は、主にスイッチＳＷＣからなる。スイッチＳＷＣは、接点Ｃ１と接点Ｃ２のどちらか１つを任意に選択して接続することができる。スイッチＳＷＣは、例えば手動式のトグルスイッチである。
【００９９】
ブロック回路ＢＬ６は、スイッチＳＷＣの接点Ｃ１と接点Ｃ２のどちらを選択して接続するかによって、ブロック回路ＢＬ１から入力された電流Ｉａ及び電流Ｉａ＋ｂを、入力部２２に線間電流と相電流のどちらで流すかを決定する。
【０１００】
ブロック回路ＢＬ６は、スイッチＳＷＣの接点Ｃ１を選択して接続した場合、ブロック回路ＢＬ１から接続点Ｓ６１，Ｓ６２に入力された電流Ｉａ及び電流Ｉａ＋ｂは、接続点Ｓ６３，Ｓ６４から出力し、ブロック回路ＢＬ４の接続点Ｓ４１，Ｓ４２に入力する。
【０１０１】
よって、ブロック回路ＢＬ６は、ブロック回路ＢＬ１から入力された電流Ｉａ及び電流Ｉａ＋ｂを、ブロック回路ＢＬ４を介して、入力部２１に線間電流を入力する。
【０１０２】
ブロック回路ＢＬ６は、スイッチＳＷＣの接点Ｃ２を選択して接続した場合、ブロック回路ＢＬ１から接続点Ｓ６１，Ｓ６２に入力された電流Ｉａ及び電流Ｉａ＋ｂは、接続点Ｓ６３，Ｓ６５から出力し、ブロック回路ＢＬ４の接続点Ｓ４１，Ｓ４３に入力する。
【０１０３】
よって、ブロック回路ＢＬ６は、ブロック回路ＢＬ１から入力された電流Ｉａ及び電流Ｉａ＋ｂを、ブロック回路ＢＬ４を介して、入力部２１に相電流を入力する。
【０１０４】
（ブロック回路ＢＬ２）
図３を参照して、ブロック回路ＢＬ２の構成及び操作方法を説明する。
【０１０５】
ブロック回路ＢＬ２は、主にスイッチＳＷＡからなる。スイッチＳＷＡは、接触子Ａ１，Ａ２，Ａ３，Ａ４を有しており、これらの接触子は全て連動している。スイッチＳＷＡは、例えば手動式のトグルスイッチである。
【０１０６】
ブロック回路ＢＬ２は、スイッチＳＷＡの選択により、電圧試験器７及び電圧試験器８からの電圧Ｖａ及び電圧Ｖｂと、ブロック回路ＢＬ１からの電流Ｉｂ’及び電流Ｉｂをそれぞれどの入力部に入力するかを決定する。
【０１０７】
（スイッチＳＷＡ）
次に、スイッチＳＷＡについて説明する。スイッチＳＷＡは、例えば手動式のトグルスイッチである。接触子Ａ１，Ａ２，Ａ３，Ａ４は連動しており、接触子Ａ１にて接点Ａ１１との接触を選択（以下、「１側選択」という。）すると、接触子Ａ２は接点Ａ２１と、接触子Ａ３は接点Ａ３１と、接触子Ａ４は接点Ａ４１と接触する。また、接触子Ａ１にて接点Ａ１２との接触を選択（以下、「２側選択」という。）すると、接触子Ａ２は接点Ａ２２と、接触子Ａ３は接点Ａ３２と、接触子Ａ４は接点Ａ４２と接触する。接触子Ａ１以外の接触子においても、同様に連動して動作をする。
【０１０８】
（１側選択）
次に、スイッチＳＷＡにおいて、１側選択した場合のブロック回路ＢＬ２について説明する。
【０１０９】
ブロック回路ＢＬ２は、１側選択をすると、ブロック回路ＢＬ１の接続点Ｓ１３，Ｓ１４から接続点Ｓ２１，Ｓ２２に入力した電流Ｉｂは、接続点Ｓ２３，Ｓ２４から出力し、ブロック回路ＢＬ３の接続点Ｓ３１，Ｓ３２に入力する。また、電圧試験器７，８からＴ２１〜Ｔ２４に入力した電圧Ｖａ，電圧Ｖｂは、Ｖ結線により三相交流を形成した電圧Ｖ３、接続点Ｓ２５、Ｓ２６、Ｓ２７からそれぞれＲ相、Ｓ相、Ｔ相として出力し、ブロック回路ＢＬ５の接続点Ｓ５１、Ｓ５２、Ｓ５３に入力する。
【０１１０】
１側選択は、主に６７Ｒ４、７８Ｒ５及び８４Ｒ１０の特性試験を行うための設定である。
【０１１１】
（２側選択）
次に、スイッチＳＷＡにおいて、２側選択した場合のブロック回路ＢＬ２について説明する。
【０１１２】
ブロック回路ＢＬ２は、２側選択をすると、ブロック回路ＢＬ１の接続点Ｓ１３，Ｓ１４から接続点Ｓ２１，Ｓ２２に入力した電流Ｉｂ’は、端子Ｔ２５，Ｔ２６から出力し、入力部２５に入力する。また、電圧試験器７からＴ２１，Ｔ２３に入力した電圧Ｖａは、端子Ｔ２７，Ｔ２８から出力し、入力部２６に入力する。
【０１１３】
２側選択は、主に６７ＧＲ３の特性試験を行うための設定である。
【０１１４】
（ブロック回路ＢＬ３）
図１を参照して、ブロック回路ＢＬ３の構成及び操作方法を説明する。
【０１１５】
ブロック回路ＢＬ３は、主にスイッチＳＷＤからなる。スイッチＳＷＤは、接点Ｄ１と接点Ｄ２のどちらか１つを任意に選択して接続することができる。スイッチＳＷＤは、例えば手動式のトグルスイッチである。
【０１１６】
ブロック回路ＢＬ３は、ブロック回路ＢＬ２の接続点Ｓ２３，Ｓ２４と接続点Ｓ３１，Ｓ３２をそれぞれ接続している。接続点Ｓ３１は、接続点Ｓ３３と電気的に接続している。
【０１１７】
ブロック回路ＢＬ３は、スイッチＳＷＤの接点Ｄ１と接点Ｄ２のどちらを選択して接続するかによって、ブロック回路ＢＬ２から入力された電流Ｉｂを、入力部２２に線間電流と相電流のどちらで流すかを決定する。
【０１１８】
スイッチＳＷＤの接点Ｄ１を選択して接続した場合、ブロック回路ＢＬ２から接続点Ｓ３１，Ｓ３２に入力された電流Ｉｂは、接続点Ｓ３３，Ｓ３４から出力し、ブロック回路ＢＬ４の接続点Ｓ４４，Ｓ４５に入力する。
【０１１９】
よって、ブロック回路ＢＬ３は、ブロック回路ＢＬ２から入力された電流Ｉｂを、ブロック回路ＢＬ４を介して、入力部２２に線間電流を入力する。
【０１２０】
スイッチＳＷＤの接点Ｄ２を選択して接続した場合、ブロック回路ＢＬ２から接続点Ｓ３１，Ｓ３２に入力された電流Ｉｂは、接続点Ｓ３３，Ｓ３５から出力し、ブロック回路ＢＬ４の接続点Ｓ４４，Ｓ４６に入力する。
【０１２１】
よって、ブロック回路ＢＬ３は、ブロック回路ＢＬ２から入力された電流Ｉｂを、ブロック回路ＢＬ４を介して、入力部２２に相電流を入力する。
【０１２２】
（ブロック回路ＢＬ４）
図４を参照して、ブロック回路ＢＬ４の構成及び操作方法を説明する。
【０１２３】
ブロック回路ＢＬ４は、主にスイッチＳＷ２からなる。スイッチＳＷ２は、セレクタＳＬ２を有しており、ポジションＲ、ポジションＳ及びポジションＴを任意に選択できる。スイッチＳＷ２は、スイッチＳＷ１と同様の構造のスイッチである。
【０１２４】
ブロック回路ＢＬ４は、セレクタＳＬ２の選択するポジションにより、ブロック回路ＢＬ６からの電流Ｉａ及び電流Ｉａ＋ｂを入力部２１と、ブロック回路ＢＬ３からの電流Ｉｂを入力する入力部２２に対して、いずれの相に入力するかを決定する。２つの入力部に対する相の選択は、連動して選択するため入力部２１と入力部２２が同じ相を選択する。
【０１２５】
スイッチＳＷ２は、スイッチＳＷ１の構成と同様であり、説明については省略する。
【０１２６】
（ポジションＲ）
次に、セレクタＳＬ２によりポジションＲを選択した場合のブロック回路ＢＬ４について説明する。
【０１２７】
ブロック回路ＢＬ６において、スイッチＳＷＣの接点Ｃ１を選択した場合について説明する。
【０１２８】
ブロック回路ＢＬ４は、ブロック回路ＢＬ６の接続点Ｓ６３，Ｓ６４からの電流Ｉａ及び電流Ｉａ＋ｂを接続点Ｓ４１，Ｓ４２に入力し、端子２０１ａ，２０２ａ、端子２０１ｄ，２０２ｄを順次に介して、端子Ｔ４１，Ｔ４２から出力し、入力部２１の端子２１１，２１２にそれぞれ入力する。
【０１２９】
よって、ブロック回路ＢＬ４は、ブロック回路ＢＬ６から入力された電流Ｉａ及び電流Ｉａ＋ｂを入力部２１の端子２１１、２１２に入力することで、電力系統における電流Ｉ１のＲＳ相間の線間電流を模擬することができる。
【０１３０】
ブロック回路ＢＬ３において、スイッチＳＷＤの接点Ｄ１を選択した場合について説明する。
【０１３１】
ブロック回路ＢＬ４は、ブロック回路ＢＬ３の接続点Ｓ３３，Ｓ３４からの電流Ｉｂを接続点Ｓ４４，Ｓ４５に入力し、端子２０７ａ，２０８ａ、端子２０７ｄ，２０８ｄを順次に介して、端子Ｔ４５，Ｔ４６から出力し、入力部２２の端子２２１，２２２にそれぞれ入力する。
【０１３２】
よって、ブロック回路ＢＬ４は、ブロック回路ＢＬ３から入力された電流Ｉｂを入力部２２の端子２２１、２２２に入力することで、電力系統における電流Ｉ２のＲＳ相間の線間電流を模擬することができる。
【０１３３】
ブロック回路ＢＬ６において、スイッチＳＷＣの接点Ｃ２を選択した場合について説明する。
【０１３４】
ブロック回路ＢＬ４は、ブロック回路ＢＬ６の接続点Ｓ６３，Ｓ６５からの電流Ｉａ及び電流Ｉａ＋ｂを接続点Ｓ４１，Ｓ４３に入力する。接続点Ｓ４３は、端子Ｔ４４に電気的に接続している。接続点Ｓ４１は、端子２０１ａ、端子２０１ｄを順次に介して、端子Ｔ４１に電気的に接続している。接続点Ｓ４１，Ｓ４３に入力された電流Ｉｂは、端子Ｔ４１，Ｔ４４から出力し、入力部２１の端子２１１，２１４にそれぞれ入力する。
【０１３５】
よって、ブロック回路ＢＬ４は、ブロック回路ＢＬ６から入力された電流Ｉａ及び電流Ｉａ＋ｂを入力部２１の端子２１１、２１４に入力することで、電力系統における電流Ｉ１のＲ相の相電流を模擬することができる。
【０１３６】
ブロック回路ＢＬ３において、スイッチＳＷＤの接点Ｄ２を選択した場合について説明する。
【０１３７】
ブロック回路ＢＬ４は、ブロック回路ＢＬ３の接続点Ｓ３３，Ｓ３５からの電流Ｉｂを接続点Ｓ４４，Ｓ４６に入力する。接続点Ｓ４６は、端子Ｔ４８に電気的に接続している。接続点Ｓ４４は、端子２０７ａ、端子２０７ｄを順次に介して、端子Ｔ４５に電気的に接続している。接続点Ｓ４４，Ｓ４６に入力された電流Ｉｂは、端子Ｔ４５，Ｔ４８から出力し、入力部２２の端子２２１，２２４にそれぞれ入力する。
【０１３８】
よって、ブロック回路ＢＬ４は、ブロック回路ＢＬ３から入力された電流Ｉｂを入力部２２の端子２２１、２２４に入力することで、電力系統における電流Ｉ２のＲ相の相電流を模擬することができる。
【０１３９】
（ポジションＳ）
次に、セレクタＳＬ２によりポジションＳを選択した場合のブロック回路ＢＬ４について説明する。基本的な回路構成は、ポジションＲを選択した場合と同様であるため詳細については省略する。
【０１４０】
ブロック回路ＢＬ６において、スイッチＳＷＣの接点Ｃ１を選択した場合について説明する。
【０１４１】
ブロック回路ＢＬ４は、ブロック回路ＢＬ６の接続点Ｓ６３，Ｓ６４からの電流Ｉａ及び電流Ｉａ＋ｂを、接続点Ｓ４１，Ｓ４２に入力することで、入力部２１の端子２１２，２１３に入力し、電力系統における電流Ｉ１のＳＴ相間の線間電流を模擬することができる。
【０１４２】
ブロック回路ＢＬ３において、スイッチＳＷＤの接点Ｄ１を選択した場合について説明する。
【０１４３】
ブロック回路ＢＬ４は、ブロック回路ＢＬ３の接続点Ｓ３３，Ｓ３４からの電流Ｉｂを接続点Ｓ４４，Ｓ４５に入力することで、入力部２２の端子２２２，２２３に入力し、電力系統における電流Ｉ２のＳＴ相間の線間電流を模擬することができる。
【０１４４】
ブロック回路ＢＬ６において、スイッチＳＷＣの接点Ｃ２を選択した場合について説明する。
【０１４５】
ブロック回路ＢＬ４は、ブロック回路ＢＬ６の接続点Ｓ６３，Ｓ６５からの電流Ｉａ及び電流Ｉａ＋ｂを、接続点Ｓ４１，Ｓ４３に入力することで、入力部２１の端子２１２，２１４に入力し、電力系統における電流Ｉ１のＳ相の相電流を模擬することができる。
【０１４６】
ブロック回路ＢＬ３において、スイッチＳＷＤの接点Ｄ２を選択した場合について説明する。
【０１４７】
ブロック回路ＢＬ４は、ブロック回路ＢＬ３の接続点Ｓ３３，Ｓ３４からの電流Ｉｂを、接続点Ｓ４４，Ｓ４５に入力することで、入力部２２の端子２２２，２２３に入力し、電力系統における電流Ｉ２のＳＴ相間の線間電流を模擬することができる。
【０１４８】
（ポジションＴ）
次に、セレクタＳＬ２によりポジションＴを選択した場合のブロック回路ＢＬ４について説明する。基本的な回路構成は、ポジションＲを選択した場合と同様であるため詳細については省略する。
【０１４９】
ブロック回路ＢＬ６において、スイッチＳＷＣの接点Ｃ１を選択した場合について説明する。
【０１５０】
ブロック回路ＢＬ４は、ブロック回路ＢＬ６の接続点Ｓ６３，Ｓ６４からの電流Ｉａ及び電流Ｉａ＋ｂを、接続点Ｓ４１，Ｓ４２に入力することで、入力部２１の端子２１３，２１１に入力し、電力系統における電流Ｉ１のＴＲ相間の線間電流を模擬することができる。
【０１５１】
ブロック回路ＢＬ３において、スイッチＳＷＤの接点Ｄ１を選択した場合について説明する。
【０１５２】
ブロック回路ＢＬ４は、ブロック回路ＢＬ３の接続点Ｓ３３，Ｓ３４からの電流Ｉｂを接続点Ｓ４４，Ｓ４５に入力することで、入力部２２の端子２２３，２２１に入力し、電力系統における電流Ｉ２のＴＲ相間の線間電流を模擬することができる。
【０１５３】
ブロック回路ＢＬ６において、スイッチＳＷＣの接点Ｃ２を選択した場合について説明する。
【０１５４】
ブロック回路ＢＬ４は、ブロック回路ＢＬ６の接続点Ｓ６３，Ｓ６５からの電流Ｉａ及び電流Ｉａ＋ｂを、接続点Ｓ４１，Ｓ４３に入力することで、入力部２１の端子２１３，２１４に入力し、電力系統における電流Ｉ１のＴ相の相電流を模擬することができる。
【０１５５】
ブロック回路ＢＬ３において、スイッチＳＷＤの接点Ｄ２を選択した場合について説明する。
【０１５６】
ブロック回路ＢＬ４は、ブロック回路ＢＬ３の接続点Ｓ３３，Ｓ３４からの電流Ｉｂを、接続点Ｓ４４，Ｓ４５に入力することで、入力部２２の端子２２３，２２１に入力し、電力系統における電流Ｉ２のＴＲ相間の線間電流を模擬することができる。
【０１５７】
（ブロック回路ＢＬ５）
図１を参照して、ブロック回路ＢＬ５の構成及び操作方法を説明する。
【０１５８】
ブロック回路ＢＬ５は、主にスイッチＳＷＢからなる。スイッチＳＷＢは、接点Ｂ１と接点Ｂ２のどちらか１つを任意に選択して接続することができる。スイッチＳＷＢは、例えば手動式のトグルスイッチである。
【０１５９】
ブロック回路ＢＬ５は、スイッチＳＷＢの接点Ｂ１と接点Ｂ２のどちらを選択して接続するかによって、ブロック回路ＢＬ２から入力された電圧Ｖ３を入力する入力部を決定する。
【０１６０】
スイッチＳＷＢの接点Ｂ１を選択して接続した場合、ブロック回路ＢＬ２から接続点Ｓ５１，Ｓ５２，Ｓ５３に入力された電圧Ｖ３は、端子Ｔ５１，Ｔ５３，Ｔ５４から出力し、入力部２３の端子２３１，２３２，２３３にそれぞれ入力する。
【０１６１】
よって、ブロック回路ＢＬ５は、ブロック回路ＢＬ２から入力された電圧Ｖ３を入力部２３の端子２３１，２３２，２３３に入力することで、電力系統における電圧Ｖ１のＲ相、Ｓ相、Ｔ相のそれぞれの電圧を模擬することができる。
【０１６２】
スイッチＳＷＢの接点Ｂ２を選択して接続した場合、ブロック回路ＢＬ２から接続点Ｓ５１，Ｓ５２，Ｓ５３に入力された電圧Ｖ３は、端子Ｔ５２，Ｔ５３，Ｔ５４から出力し、入力部２４の端子２４１、入力部２３の端子２３２，２３３にそれぞれ入力する。
【０１６３】
よって、ブロック回路ＢＬ５は、ブロック回路ＢＬ２から入力された電圧Ｖ３のＲ相を入力部２４の端子２４１に、Ｓ相、Ｔ相を入力部２３の端子２３２，２３３に入力することで、電力系統における電圧ΔＶＲ及び電圧Ｖ１のＳ相、Ｔ相を模擬することができる。
【０１６４】
（第１の実施形態による試験方法）
図１〜４及び図１５〜２４を参照して、第１の実施形態による保護継電器２に有する各要素の特性試験の方法について説明する。
【０１６５】
始めに、前述のように試験の準備として第１の実施形態に係る発明と他の全ての機器とを接続し、試験回路を構成する。次のように、各要素の特性試験を実施する。また、各要素の特性試験をする上で関係のないスイッチ等の条件についての説明は省略する。
【０１６６】
５１Ｒ１の特性試験について説明する。
【０１６７】
図１５に示すように、入力部２１の端子２１１，２１２，２１３，２１４に相電流を流して試験を行う。従って、スイッチＳＷ１をポジションＰ２、スイッチＳＷＣを接点Ｃ２にそれぞれ選択する。
【０１６８】
スイッチＳＷ２を切り換えることにより、電流試験器３からの電流Ｉａを入力部２１のＲ相、Ｓ相、Ｔ相の各相に電流を入力して、各相の試験を行う。Ｒ相を試験するときには、ポジションＲを選択し、Ｓ相を試験するときには、ポジションＳを選択し、Ｔ相を試験するときには、ポジションＴを選択する。
【０１６９】
５１Ｒ２の特性試験について説明する。
【０１７０】
図１６に示すように、入力部２１の端子２１１，２１２，２１３に線間電流を流して試験を行う。従って、スイッチＳＷ１をポジションＰ２、スイッチＳＷＣを接点Ｃ１にそれぞれ選択する。
【０１７１】
スイッチＳＷ２を切り換えることにより、電流試験器３からの電流Ｉａを入力部２１のＲ相、Ｓ相、Ｔ相の各線間に電流を入力して、各線間の試験を行う。ＲＳ相を試験するときには、ポジションＲを選択し、ＳＴ相を試験するときには、ポジションＳを選択し、ＴＲ相を試験するときには、ポジションＴを選択する。
【０１７２】
５１Ｒ６の特性試験について説明する。
【０１７３】
図１７に示すように、入力部２２の端子２２１，２２２，２２３，２２４に相電流を流して試験を行う。従って、スイッチＳＷ１をポジションＰ２、スイッチＳＷＡを１側選択、スイッチＳＷＤを接点Ｄ２にそれぞれ選択する。
【０１７４】
スイッチＳＷ２を切り換えることにより、電流試験器４からの電流Ｉｂを入力部２２のＲ相、Ｓ相、Ｔ相の各相に電流を入力して、各相の試験を行う。Ｒ相を試験するときには、ポジションＲを選択し、Ｓ相を試験するときには、ポジションＳを選択し、Ｔ相を試験するときには、ポジションＴを選択する。
【０１７５】
５１Ｒ７の特性試験について説明する。
【０１７６】
図１８に示すように、入力部２２の端子２２１，２２２，２２３線間電流を流して試験を行う。従って、スイッチＳＷ１をポジションＰ２、スイッチＳＷＡを１側選択、スイッチＳＷＤを接点Ｄ１にそれぞれ選択する。
【０１７７】
スイッチＳＷ２を切り換えることにより、電流試験器４からの電流Ｉｂを入力部２２のＲ相、Ｓ相、Ｔ相の各線間に電流を入力して、各線間の試験を行う。従って、ＲＳ相を試験するときには、ポジションＲを選択し、ＳＴ相を試験するときには、ポジションＳを選択し、ＴＲ相を試験するときには、ポジションＴを選択する。
【０１７８】
６７ＧＲ３の特性試験について説明する。
【０１７９】
図１９に示すように、入力部２５の端子２５１，２５２に零相電流を流し、入力部２６の端子２６１，２６２に零相電圧を印加して試験を行う。従って、スイッチＳＷ１をポジションＰ１、スイッチＳＷＡを２側選択、スイッチＳＷＤを接点Ｄ１にそれぞれ選択する。
【０１８０】
これにより、電流試験器４からの電流Ｉｂを流して、零相変流器５の二次側から出力する電流Ｉｂ’を入力部２５に入力し、電圧試験器７からの電圧Ｖａを入力部２６に入力して試験を行う。
【０１８１】
６７Ｒ４の特性試験について説明する。
【０１８２】
図２０に示すように、入力部２３の端子２３１，２３２，２３３に三相交流電圧を印加し、入力部２２の端子２２１，２２２，２２３，２２４に相電流を流して試験を行う。従って、スイッチＳＷ１をポジションＰ２、スイッチＳＷＡを１側選択、スイッチＳＷＤを接点Ｄ２、スイッチＳＷＢを接点Ｂ１にそれぞれ選択する。
【０１８３】
これにより、電圧試験器７からの電圧Ｖａと電圧試験器８からの電圧Ｖｂにより形成した三相交流の電圧Ｖ３を入力部２３に入力する。また、スイッチＳＷ２を切り換えることにより、電流試験器４からの電流Ｉｂを入力部２２のＲ相、Ｓ相、Ｔ相の各相に電流を入力して、各相の試験を行う。Ｒ相を試験するときには、ポジションＲを選択し、Ｓ相を試験するときには、ポジションＳを選択し、Ｔ相を試験するときには、ポジションＴを選択する。
【０１８４】
７８Ｒ５の特性試験について説明する。
【０１８５】
図２１に示すように、入力部２３の端子２３２，２３３に三相交流電圧のＳ相、Ｔ相に相当する電圧をそれぞれ印加し、入力部２４の端子２４１に同じ三相交流電圧のＲ相に相当する電圧を印加して試験を行う。従って、スイッチＳＷＡを１側選択、スイッチＳＷＢを接点Ｂ２にそれぞれ選択する。
【０１８６】
これにより、電圧試験器７からの電圧Ｖａと電圧試験器８からの電圧Ｖｂにより形成した三相交流の電圧Ｖ３を入力部２３のＳ相、Ｔ相及び入力部２４に入力する。
【０１８７】
８７Ｒ８の特性試験について説明する。
【０１８８】
図２２に示すように、入力部２１の端子２１１，２１２，２１３，２１４に相電流を流し、入力部２２の端子２２１，２２２，２２３，２２４に相電流を流して試験を行う。従って、スイッチＳＷ１をポジションＰ２、スイッチＳＷＣを接点Ｃ２、スイッチＳＷＡを１側選択、スイッチＳＷＤを接点Ｄ２にそれぞれ選択する。
【０１８９】
スイッチＳＷ２を切り換えることにより、電流試験器３からの電流Ｉａを入力部２１のＲ相、Ｓ相、Ｔ相の各相に電流を入力し、同時に電流試験器４からの電流Ｉｂを入力部２２のＲ相、Ｓ相、Ｔ相の各相に電流を入力して、各相の試験を行う。Ｒ相を試験するときには、ポジションＲを選択し、Ｓ相を試験するときには、ポジションＳを選択し、Ｔ相を試験するときには、ポジションＴを選択する。スイッチＳＷ２により、入力部２１に入力される相と入力部２２に入力される相は、常に同一の相を選択する。１つの操作で、電流の入力される２つの入力部の相を同時に切り換えることができる。
【０１９０】
５１ＳＲ９の特性試験について説明する。
【０１９１】
図２３に示すように、入力部２１の端子２１１，２１２，２１３，２１４に相電流を流して試験を行う。また、この要素の試験を行うには、大電流を入力する必要があり、電流試験器３からの電流Ｉａと電流試験器４からの電流Ｉｂを合成した電流Ｉａ＋ｂを入力部２１に入力する必要がある。従って、スイッチＳＷ１をポジションＰ３、スイッチＳＷＣを接点Ｃ２にそれぞれ選択する。
【０１９２】
スイッチＳＷ２を切り換えることにより、電流試験器３からの電流Ｉａと電流試験器４からの電流Ｉｂを合成した電流Ｉａ＋ｂを入力部２１のＲ相、Ｓ相、Ｔ相の各相に電流を入力して、各相の試験を行う。Ｒ相を試験するときには、ポジションＲを選択し、Ｓ相を試験するときには、ポジションＳを選択し、Ｔ相を試験するときには、ポジションＴを選択する。
【０１９３】
８４Ｒ１０の特性試験について説明する。
【０１９４】
図２４に示すように、入力部２３の端子２３１，２３２，２３３に三相交流電圧を印加して試験を行う。従って、スイッチＳＷＡを１側選択、スイッチＳＷＤを接点Ｄ２にそれぞれ選択する。
【０１９５】
これにより、電圧試験器７からの電圧Ｖａと電圧試験器８からの電圧Ｖｂにより形成した三相交流の電圧Ｖ３を入力部２３に入力して試験を行う。
【０１９６】
（第１の実施形態の作用・効果）
以上説明したように本実施形態によれば、一度試験を準備するために接続すれば、スイッチ等により簡単に試験回路構成を切り換えることでき、試験用配線等の繋ぎ換えをしなくても複数の要素の複数の観測点における特性試験を実施ができる。
【０１９７】
よって、手作業による試験配線等の繋ぎ換えよる、作業時間や誤配線等の作業ミスを減らすことができる。
【０１９８】
（第２の実施形態）
以下、図１０、図１１及び図１２を参照して、第２の実施形態について説明する。
【０１９９】
（第２の実施形態の構成）
図１０を参照して、第２の実施形態に係る試験補助装置１について、第１の実施形態に係る試験補助装置１と異なる部分について主に説明する。同一部分については、同一符号を付してその詳しい説明を省略する。なお、以下の実施形態も同様にして重複した説明を省略する。
【０２００】
第２の実施形態に係る試験補助装置１は、第１の実施形態に係る試験補助装置１において、ブロック回路ＢＬ１のスイッチＳＷ１とブロック回路ＢＬ４のスイッチＳＷ２がそれぞれスイッチＳＷ１ＲとスイッチＳＷ２Ｒに換わり、これらを構成するための回路が追加された点以外は同じである。
【０２０１】
スイッチＳＷ１Ｒは、電磁式リレーＲｙ１２，Ｒｙ１３，Ｒｙ１４を有しており、スイッチＳＷ２Ｒは、電磁式リレーＲｙ２１，Ｒｙ２２，Ｒｙ２３を有している。
【０２０２】
電磁式リレーＲｙ１１，Ｒｙ１２，Ｒｙ１３及び電磁式リレーＲｙ２１，Ｒｙ２２，Ｒｙ２３は、操作部ＣＴＲ及び電源ＰＷと接続している。
【０２０３】
電源ＰＷは、例えば操作用の電源として、後述する電磁式リレーに交流電力１００ボルトを供給する電源である。
【０２０４】
操作部ＣＴＲ１は、釦Ｐ１，Ｐ２，Ｐ３を有している。
【０２０５】
操作部ＣＴＲ２は、釦Ｒ，Ｓ，Ｔを有している。
【０２０６】
操作部ＣＴＲ１の釦Ｐ１，Ｐ２，Ｐ３は、押下することにより、スイッチＳＷ１の電磁式リレーＲｙ１１，Ｒｙ１２，Ｒｙ１３をそれぞれ動作させるためのものである。
【０２０７】
操作部ＣＴＲ２の釦Ｒ，Ｓ，Ｔは、押下することにより、スイッチＳＷ２の電磁式リレーＲｙ２１，Ｒｙ２２，Ｒｙ２３をそれぞれ動作させるためのものである。
【０２０８】
電磁式リレーＲｙ１１，Ｒｙ１２，Ｒｙ１３は、スイッチＳＷ１のセレクタＳＬ１において、ポジションＰ１，Ｐ２，Ｐ３をそれぞれ選択した場合の回路と同等の回路を構成するための機器である。
【０２０９】
電磁式リレーＲｙ２１，Ｒｙ２２，Ｒｙ２３は、スイッチＳＷ２のセレクタＳＬ２において、ポジションＲ，Ｓ，Ｔをそれぞれ選択した場合の回路と同等の回路を構成するための機器である。
【０２１０】
（スイッチＳＷ１Ｒ）
図１１を参照して、スイッチＳＷ１Ｒの回路について説明する。
【０２１１】
操作部ＣＴＲ１の釦Ｐ１を押下すると、電源ＰＷから供給される電流又は電圧により、電磁式リレーＲｙのコイルＣＰ１が励磁する。ＣＰ１が励磁すると、接触子Ｐ１１，Ｐ１２，Ｐ１３，Ｐ１４がそれぞれの接点をメイクする。接触子Ｐ１１の接点がメイクすると、端子１０７ａと端子１０７ｄとの間で導通する。同様にして、接触子Ｐ１２，Ｐ１３，Ｐ１４の接点のメイクにより、端子１０８ａと端子１０８ｄ、端子１０９ａと端子１０９ｄ、端子１１０ａと端子１１０ｄとのそれぞれの間が導通する。
【０２１２】
これにより、操作部ＣＴＲ１において釦Ｐ１を押下した場合のスイッチＳＷ１Ｒの回路は、セレクタＳＬ１においてポジションＰ１を選択した場合のスイッチＳＷ１の回路と同等の回路となる。
【０２１３】
同様にして、操作部ＣＴＲ１の釦Ｐ２，Ｐ３を押下した場合のスイッチＳＷ１Ｒの回路は、セレクタＳＬ１においてポジションＰ２，Ｐ３を選択した場合のスイッチＳＷ１の回路とそれぞれ同等の回路となる。
【０２１４】
（スイッチＳＷ２Ｒ）
図１２を参照して、スイッチＳＷ２Ｒの回路について説明する。
【０２１５】
操作部ＣＴＲ２の釦Ｒ，Ｓ，Ｔをそれぞれ押下した場合のスイッチＳＷ２Ｒの回路については、スイッチＳＷ１Ｒと同様の原理により構成される。
【０２１６】
操作部ＣＴＲ２の釦Ｒを押下すると、操作部ＣＴＲ１の場合と同様に原理により、端子２０１ａと端子２０１ｄ、端子２０２ａと端子２０２ｄ、端子２０７ａと端子２０７ｄ、端子２０８ａと端子２０８ｄとのそれぞれの間が導通する。
【０２１７】
操作部ＣＴＲ２の釦Ｓを押下すると、操作部ＣＴＲ１の場合と同様に原理により、端子２０３ａと端子２０３ｄ、端子２０４ａと端子２０４ｄ、端子２０９ａと端子２０９ｄ、端子２１０ａと端子２１０ｄとのそれぞれの間が導通する。
【０２１８】
操作部ＣＴＲ２の釦Ｔを押下すると、端子２０５ａと端子２０５ｄ、端子２０６ａと端子２０６ｄ、端子２１１ａと端子２１１ｄ、端子２１２ａと端子２１２ｄとのそれぞれの間が導通する。
【０２１９】
これにより、操作部ＣＴＲ２の釦Ｒ，Ｓ，Ｔを押下した場合のスイッチＳＷ２Ｒの回路は、セレクタＳＬ２においてポジションＲ，Ｓ，Ｔを選択した場合のスイッチＳＷ２の回路と同等になる。
【０２２０】
（第２の実施形態の作用・効果）
以上説明したように本実施形態によれば、第１の実施形態の作用・効果に加え、次のような作用・効果がある。
【０２２１】
操作部の釦を押すことで、さらに簡単に試験回路構成を切り換えることができる。また、操作部を試験補助装置の本体から離すことにより、試験補助装置の操作を任意の場所で行うことができる。
【０２２２】
（第３の実施形態）
以下、図５及び図６を参照して、第３の実施形態について説明する。
【０２２３】
（第３の実施形態に係る要素）
第３の実施形態に係る試験補助装置が特性試験の対象とする要素は、６７Ｒ４、７８Ｒ５、５１Ｒ６及び５１Ｒ７である。
【０２２４】
（第３の実施形態の構成）
図５は、第３の実施形態に係る試験補助装置１１を用いた試験方法の接続回路を説明するためのブロック構成図である。
【０２２５】
試験補助装置１１は、第３の出力形態選択手段、例えばブロック回路ＢＬ３と、第１の相選択手段、例えばブロック回路ＢＬ４１と、電圧入力選択手段、例えばブロック回路ＢＬ２１及びブロック回路ＢＬ５が次のように構成している。
【０２２６】
ブロック回路ＢＬ２は、試験器から電圧が入力され、ブロック回路ＢＬ５に出力するように接続している。ブロック回路ＢＬ２は、接続点Ｓ２５，Ｓ２６，Ｓ２７とブロック回路ＢＬ５の接続点Ｓ５１，Ｓ５２，Ｓ５３でそれぞれ接続している。
【０２２７】
ブロック回路ＢＬ３１は、ブロック回路ＢＬ２から入力された電流を、ブロック回路ＢＬ４１に出力するように接続している。ブロック回路ＢＬ３１は、接続点Ｓ３３，Ｓ３４，Ｓ３５とブロック回路ＢＬ４の接続点Ｓ４４，Ｓ４５，Ｓ４６でそれぞれ接続している。
【０２２８】
（第３の実施形態に係る他の機器との接続構成）
次に、図５を参照して、特性試験の準備として、試験補助装置１１とその他の機器との接続について説明する。
【０２２９】
ブロック回路ＢＬ３１は、端子Ｔ３１，Ｔ３２に電流試験器４を接続する。
【０２３０】
ブロック回路ＢＬ２１は、端子Ｔ２１，Ｔ２３に電圧試験器７、端子Ｔ２４，Ｔ２２に電圧試験器８をそれぞれ接続する。
【０２３１】
ブロック回路ＢＬ４１は、端子Ｔ４５，Ｔ４６，Ｔ４７，Ｔ４８に、保護継電器２の入力部２２の端子２２１，２２２，２２３，２２４をそれぞれ接続する。
【０２３２】
以下、図面を参照して、上述のように接続構成されている状態で各ブロック回路を説明する。但し、ブロック回路ＢＬ５については、第１の実施形態と同様であり、説明を省略する。
【０２３３】
（ブロック回路ＢＬ３１）
図５を参照して、ブロック回路ＢＬ３について説明する。
【０２３４】
ブロック回路ＢＬ３１は、ブロック回路ＢＬ３において、ブロック回路ＢＬ１と接続していた接続点Ｓ３１，Ｓ３２を端子Ｔ３１，Ｔ３２に変え、これに電流試験器４を接続している。
【０２３５】
その他の点は、ブロック回路ＢＬ３と同じである。
【０２３６】
（ブロック回路ＢＬ４１）
図６を参照して、ブロック回路ＢＬ４１について説明する。
【０２３７】
ブロック回路ＢＬ４１は、ブロック回路ＢＬ４において、接続点Ｓ４１〜Ｓ４３及び端子Ｔ４１〜Ｔ４４と、これに接続される全ての配線を取り除いている。
【０２３８】
スイッチＳＷ２１は、スイッチＳＷ２において、端子２０１ａ〜２０６ｄと、これに接続される全ての配線を取り除いている。
【０２３９】
その他の点は、ブロック回路ＢＬ４と同じである。
【０２４０】
（ブロック回路ＢＬ２１）
図５を参照して、ブロック回路ＢＬ２１について説明する。
【０２４１】
ブロック回路ＢＬ２１は、端子Ｔ２１〜Ｔ２４、接続点Ｓ２５〜Ｓ２７及びこれらを接続する配線からなる。
【０２４２】
電圧試験器７，８からＴ２１〜Ｔ２４に入力した電圧Ｖａ，Ｖｂは、Ｖ結線により三相交流を形成した電圧Ｖ３、接続点Ｓ２５、Ｓ２６、Ｓ２７からＲ相、Ｓ相、Ｔ相としてそれぞれ出力し、ブロック回路ＢＬ５の接続点Ｓ５１、Ｓ５２、Ｓ５３にそれぞれ入力する。
【０２４３】
（第３の実施形態の作用・効果）
以上説明したように本実施形態によれば、６７Ｒ４、７８Ｒ５、５１Ｒ６及び５１Ｒ７の特性試験を行う上で、手作業による試験配線等の繋ぎ換えよる、作業時間や誤配線等の作業ミスを減らすことができ、試験補助装置１よりコンパクトにすることができる。
【０２４４】
（第４の実施形態）
以下、図７、図８、及び図９を参照して、第４の実施形態について説明する。
【０２４５】
（第４の実施形態に係る要素）
第４の実施形態に係る試験補助装置が特性試験の対象とする要素は、６７ＧＲ３、５１Ｒ６及び５１Ｒ７である。
【０２４６】
（第４の実施形態の構成）
図７は、第４の実施形態に係る試験補助装置１２を用いた試験方法の接続回路を説明するためのブロック構成図である。
【０２４７】
試験補助装置１２は、電流選択手段、例えばブロック回路ＢＬ１２と、連動選択手段、例えばブロック回路ＢＬ２２と、第２の出力形態選択手段、例えばブロック回路ＢＬ３と、第２の相選択手段、例えばブロック回路ＢＬ４１が次のように構成している。
【０２４８】
ブロック回路ＢＬ１２は、試験器から電流が入力され、ブロック回路ＢＬ２２に電流を出力するように接続している。ブロック回路ＢＬ１２は、接続点Ｓ１３，Ｓ１４とブロック回路ＢＬ２２の接続点Ｓ２１，Ｓ２２でそれぞれ接続している。
【０２４９】
ブロック回路ＢＬ２２は、ブロック回路ＢＬ１２から入力された電流を、ブロック回路ＢＬ３に出力するように接続している。ブロック回路ＢＬ２２は、接続点Ｓ２３，Ｓ２４とブロック回路ＢＬ３の接続点Ｓ３１，Ｓ３２でそれぞれ接続している。
【０２５０】
ブロック回路ＢＬ３は、ブロック回路ＢＬ２から入力された電流を、ブロック回路ＢＬ４に出力するように接続している。ブロック回路ＢＬ３は、接続点Ｓ３３，Ｓ３４，Ｓ３５とブロック回路ＢＬ４１の接続点Ｓ４４，Ｓ４５，Ｓ４６でそれぞれ接続している。
【０２５１】
（第４の実施形態に係る他の機器との接続構成）
次に、図７を参照して、特性試験の準備として、試験補助装置１１とその他の機器との接続について説明する。
【０２５２】
ブロック回路ＢＬ１２は、端子Ｔ１３，Ｔ１４に電流試験器４を、端子Ｔ１７，Ｔ１８に零相変流器５をそれぞれ接続する。端子Ｔ１５，Ｔ１６には、零相変流器の二次電流が出力される電線をミリアンペア計６を通して接続する。
【０２５３】
ブロック回路ＢＬ２２は、端子Ｔ２１，Ｔ２３に電圧試験器７を接続する。
【０２５４】
ブロック回路ＢＬ４１は、端子Ｔ４５，Ｔ４６，Ｔ４７，Ｔ４８に、保護継電器２の入力部２２の端子２２１，２２２，２２３，２２４をそれぞれ接続する。
【０２５５】
以下、図面を参照して、上述のように接続構成されている状態で各ブロック回路を説明する。但し、ブロック回路ＢＬ３については、第１の実施形態と同様であり、ブロック回路ＢＬ４１については、第３の実施形態と同様であるため説明を省略する。
【０２５６】
（ブロック回路ＢＬ１２）
図８を参照して、ブロック回路ＢＬ１２について説明する。
【０２５７】
ブロック回路ＢＬ１２は、ブロック回路ＢＬ１において、端子Ｔ１１，Ｔ１２、及び接続点Ｓ１１，Ｓ１２と、これに接続される全ての配線を取り除いている。
【０２５８】
スイッチＳＷ１２は、スイッチＳＷ１において、端子１０１ａ〜２０２ｄ、及び端子１０５ａ〜１０６ｄと、これに接続される全ての配線を取り除いている。
【０２５９】
セレクタ１２は、セレクタ１におけるポジションＰ３に相当する部分が取り除かれている。
【０２６０】
その他の点は、ブロック回路ＢＬ１２と同じである。
【０２６１】
（ブロック回路ＢＬ２２）
図９を参照して、ブロック回路ＢＬ２２について説明する。
【０２６２】
ブロック回路ＢＬ２２は、ブロック回路ＢＬ２において、端子Ｔ２２，Ｔ２４、及び接続点Ｓ２５，Ｓ２６，Ｓ２７と、これに接続される全ての配線を取り除いている。
【０２６３】
その他の点は、ブロック回路ＢＬ２と同じである。
【０２６４】
（第４の実施形態の作用・効果）
以上説明したように本実施形態によれば、６７ＧＲ３、５１Ｒ６及び５１Ｒ７の特性試験を行う上で、手作業による試験配線等の繋ぎ換えよる、作業時間や誤配線等の作業ミスを減らすことができ、試験補助装置１よりコンパクトにすることができる。
【０２６５】
本発明は、以上述べた実施形態にされず、種々変形して実施することができる。
【０２６６】
（１）本実施形態では、被試験対象となる電気設備として、ディジタル式の保護継電器を想定したが、電磁型や静止型による継電器により構成されている保護継電器でもよい。また、電気設備に要素が含まれていれば、電力変換装置や電力系統の制御装置のようなものであっても構わないし、他でもよい。
【０２６７】
（２）接続点は、各実施形態を説明するために付けた便宜上の点であり、該当の箇所に配線等の接続点は無くてもよいし、代わりに端子であってもよい。また、端子も同様に、なくしてもよいし、接続点に代えてもよい。
【０２６８】
（３）本実施形態では、要素の特性試験について述べたが、リレーシーケンス試験や実機の試験に使用してもよい。また、要素の動作・不動作に関係のない試験、例えば電気設備等に有する計測機能を試験するために使用してもよい。
【０２６９】
（４）スイッチＳＷ２は、入力部２１と入力部２２に入力される相が常に同一となるように連動させたが、スイッチＳＷ２と同様のスイッチを設けることにより、別々の入力相を選択できるようにしてもよい。この場合、電流試験器３から出力される電流Ｉａと電流試験器４から出力される電流Ｉｂが干渉せずに別々に流れるため、入力部２１に応じて動作する要素と入力部２２に応じて動作する要素の特性試験を同時に行うことができる。
【０２７０】
（５）ブロック回路ＢＬ２２のスイッチＳＷＡは、１側選択をした場合の配線を設けなかったが、端子や配線などを設けて新たな回路を追加してもよい。例えば、電圧を出力するための端子を新たに２つ設け、１側選択をした場合に、入力部２６以外の入力部へ電圧を印加できるようにしてもよい。
【０２７１】
（６）ブロック回路ＢＬ２及びブロック回路ＢＬ２１において、端子Ｔ２１，Ｔ２３に電圧試験器７、端子Ｔ２４，Ｔ２２に電圧試験器８をそれぞれ接続したが、三相交流を出力する電圧試験器をＴ２１，Ｔ２２，Ｔ２４に接続してもよい。試験設備などに応じて変更することができる。
【０２７２】
（７）第２の実施形態において、操作部ＣＴＲ１，ＣＴＲ２は、試験補助装置１の他の部分と一体になっていなくともよい。操作部ＣＴＲ１，ＣＴＲ２のみを分離し移動し易くすることにより、任意の場所に設置することができ、試験者が試験をし易い任意の場所に設置することで、試験の効率を上げることができる。
【０２７３】
（８）第２の実施形態において、試験補助装置１のスイッチＳＷ１，ＳＷ２を電磁式リレーを使用したスイッチＳＷ１Ｒ，ＳＷ２Ｒに置き換えた構成としたが、試験補助装置１１，１２を同様に電磁式リレーを使用したスイッチに置き換えた構成としてもよい。この場合各々の実施形態における作用・効果に加え、簡単に試験回路構成を切り換えることができるなどの第２の実施形態における作用・効果がある。
【０２７４】
（９）電源ＰＷは、これ自身が発電せずに電気の仲介をするものであってもよい。例えば、商用電源から電気を得るためのコンセントになっていてもよいし、端子台になっていて、他の発電機等から電気を仲介してもよい。この場合、試験補助装置自体に発電をする構造や回路等を持たないため、装置の軽量化やコンパクト化をすることができる。
【０２７５】
（１０）各実施形態における試験補助装置は、余分な端子及び端子台が設けられていてもよい。電気設備の試験時において、自由に使うことができる。例えば、試験配線の延長用に使用してもよいし、別の試験回路や試験器等を接続しておくこともできる。
【０２７６】
（１１）各種のスイッチは、各実施形態において説明したものに限られない。どのスイッチにおいても、回転式、トグル式及び釦式などのいずれにでも置き換えることができる。スイッチの種類の選択の仕方により、コスト、使い易さ、軽量化、及びコンパクト化などに適応した装置を構成することができる。
【０２７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０２７８】
【図１】本発明の第１の実施形態に係る装置の構成を説明するためのブロック図。
【図２】第１の実施形態に係るブロック回路ＢＬ１の構成を説明するための図。
【図３】第１の実施形態に係るブロック回路ＢＬ２の構成を説明するための図。
【図４】第１の実施形態に係るブロック回路ＢＬ４の構成を説明するための図。
【図５】第３の実施形態に係る装置の構成を説明するためのブロック図。
【図６】第３の実施形態に係るブロック回路ＢＬ４１の構成を説明するための図。
【図７】第４の実施形態に係る装置の構成を説明するためのブロック図。
【図８】第４の実施形態に係るブロック回路ＢＬ１２の構成を説明するための図。
【図９】第４の実施形態に係るブロック回路ＢＬ２２の構成を説明するための図。
【図１０】第２の実施形態に係る装置の主要な構成を説明するためのブロック図。
【図１１】第２の実施形態に係るスイッチＳＷ１Ｒを説明するための図。
【図１２】第２の実施形態に係るスイッチＳＷ２Ｒを説明するための図。
【図１３】保護継電器を説明するための電力系統図。
【図１４】保護継電器の構成を説明するためのブロック図。
【図１５】過電流継電器Ｒ１を説明するためのブロック図。
【図１６】過電流継電器Ｒ２を説明するためのブロック図。
【図１７】過電流継電器Ｒ６を説明するためのブロック図。
【図１８】過電流継電器Ｒ７を説明するためのブロック図。
【図１９】地絡方向継電器Ｒ３を説明するためのブロック図。
【図２０】電力方向継電器Ｒ４を説明するためのブロック図。
【図２１】位相比較継電器Ｒ５を説明するためのブロック図。
【図２２】比率差動継電器Ｒ８を説明するためのブロック図。
【図２３】反限時特性を有する過電流継電器Ｒ９を説明するためのブロック図。
【図２４】電圧継電器Ｒ１０を説明するためのブロック図。
【符号の説明】
【０２７９】
１…試験補助装置、２…電力設備、３…電流試験器、４…電流試験器、５…零相変流器、６…ミリアンペア計、７…電圧試験器、８…電圧試験器。
【図１】
2006329702.tif 000003
【図２】
2006329702.tif 000004
【図３】
2006329702.tif 000005
【図４】
2006329702.tif 000006
【図５】
2006329702.tif 000007
【図６】
2006329702.tif 000008
【図７】
2006329702.tif 000009
【図８】
2006329702.tif 000010
【図９】
2006329702.tif 000011
【図１０】
2006329702.tif 000012
【図１１】
2006329702.tif 000013
【図１２】
2006329702.tif 000014
【図１３】
2006329702.tif 000015
【図１４】
2006329702.tif 000016
【図１５】
2006329702.tif 000017
【図１６】
2006329702.tif 000018
【図１７】
2006329702.tif 000019
【図１８】
2006329702.tif 000020
【図１９】
2006329702.tif 000021
【図２０】
2006329702.tif 000022
【図２１】
2006329702.tif 000023
【図２２】
2006329702.tif 000024
【図２３】
2006329702.tif 000025
【図２４】
2006329702.tif 000026